(57)【要約】【課題】コネクタ同士の錠止がなされていないと、コネクタを保護カバー内に収納できないようにする。【解決手段】嵌合したコネクタ１、２を覆う保護カバー３は合成樹脂製の略紡錘形とされ、長手方向に２つ割り構造とされ、中央の大径部にコネクタ１、２を収容し、両側の中径部、小径部に電線４、絶縁層１０を収容するようにされている。  保護カバー３の大径部の内面の形状は、回動レバー５による錠止が行われた状態のコネクタ１、２を収容できるようにされ、コネクタ１、２をほぼ包み込むような形状とされている。  しかし、コネクタ１、２同士が嵌合していても、回動レバー５による錠止が十分でなければ、回動レバー５の一部が保護カバー３の内面に当接し、コネクタ１、２は保護カバー３内の所定位置に納まらず、保護カバー３を被着することはできない。【選択図】図７
2007018896.tif 000002
【特許請求の範囲】
【請求項１】
一対のコネクタを覆う保護カバーによるコネクタの保護構造において、前記コネクタ同士の嵌合を錠止部材により錠止し、該錠止部材による前記錠止がなされない状態では、前記錠止部材の姿勢により前記一対のコネクタは前記保護カバー内に収納不能としたことを特徴とするコネクタの保護構造。
【請求項２】
前記コネクタ同士は前記錠止部材を用いて嵌合、解離を行うようにした請求項１に記載のコネクタの保護構造。
【請求項３】
前記錠止部材は一方のコネクタに設けた回動レバーとし、該回動レバーのカム溝が他方のコネクタに設けたピンと係合し、前記カム溝とピンのてこ作用によって前記一対のコネクタを嵌合、解離するようにしたことを特徴とする請求項２に記載のコネクタの保護構造。
【請求項４】
前記回動レバーの回動により前記コネクタ同士を嵌合した状態で、前記回動レバーの一部が前記他方のコネクタの一部に係合して、前記コネクタ同士の嵌合を錠止することを特徴とする請求項３に記載のコネクタの保護構造。
【請求項５】
前記回動レバーによる回動が十分になされない状態において、前記回動レバーの一部は外方に突出し、前記保護カバーを覆う際の障害となることを特徴とする請求項４に記載のコネクタの保護構造。
【発明の詳細な説明】
【技術分野】
【０００１】
本発明は、電線同士を接続した一対のコネクタを覆うコネクタの保護構造に関するものである。
【背景技術】
【０００２】
屋外における信号線の配線などにおいて、コネクタを用いて信号線の接続を行うことがあり、機械的保護のために箱形の保護カバーで覆ったり、保護カバーに収納する場合がある。
【発明の開示】
【発明が解決しようとする課題】
【０００３】
しかし、保護カバーを用いることにより外部からの衝撃等には安全であるが、コネクタ同士が確実に錠止されているかどうかを確認することができない。つまり、コネクタ同士の錠止をしないままに、保護カバー内に収納してしまう危険性が多分にある。そして、これを確認するためには、保護カバーを外さなければならない。
【０００４】
本発明の目的は、上述の課題を解消し、コネクタ同士の錠止がなされていないと、コネクタを保護カバー内に収納できないようにしたコネクタの保護構造を提供することにある。
【課題を解決するための手段】
【０００５】
上述の目的を達成するための本発明に係るコネクタの保護構造の技術的特徴は、一対のコネクタを覆う保護カバーによるコネクタの保護構造において、前記コネクタ同士の嵌合を錠止部材により錠止し、該錠止部材による前記錠止がなされない状態では、前記錠止部材の姿勢により前記一対のコネクタは前記保護カバー内に収納不能としたことにある。
【発明の効果】
【０００６】
本発明に係るコネクタの保護構造によれば、コネクタ同士の錠止がなされていないと保護カバーに収納できないので、保護カバーが正常に被着されていることによりコネクタの錠止状態を確認することができる。
【発明を実施するための最良の形態】
【０００７】
本発明を図示の実施例に基づいて詳細に説明する。
図１はコネクタ１、２同士を嵌合し、これらのコネクタ１、２を筒状の保護カバー３で覆った状態の構成図を示している。それぞれのコネクタ１、２には多数の接続端子が内蔵されており、これらの接続端子ごとに電線４が接続されており、コネクタ１、２同士を嵌合することにより接続端子同士が接続され、電気的な導通がなされるようになっている。コネクタ１、２に内蔵した接続端子の数が多くなると、摺動抵抗も大きくなり、嵌合或いは解離には多大の力を必要とする。
【０００８】
そこで、図２に示すように一方のコネクタ１には回動レバー５を設け、他方のコネクタ２はこの回動レバー５のカム溝６に係合する被駆動ピン７を設けて、これらの組合わせによるてこ作用によって嵌合、解離を行っている。なお、図２以降の斜視図においては、コネクタ１、２から引き出された電線４の図示を省略している。
【０００９】
回動レバー５は、コネクタ１の支持ピン８に回動自在に支持された左右の一対のレバー本体部５ａと、これらのレバー本体部５ａの上部同士を連結する連結部５ｂとからコ字状に形成されている。回動レバー５の連結部５ｂの前面中央には、錠止部５ｃが設けられている。
【００１０】
この錠止部５ｃには左右一対の可撓部５ｄを介して鉤部を外側に向けた左右一対の錠止用爪部５ｅがそれぞれ一体に設けられている。そして、錠止用爪部５ｅは外側に向けて突設され、その外面は傾斜を有する案内面とされている。これらの可撓部５ｄと錠止用爪部５ｅは、コネクタ２の上部に設けた錠止受部９に上方から係合し得るように設けられている。
【００１１】
一方、錠止受部９においては、回動レバー５の錠止用爪部５ｅを錠止するための左右一対の錠止用ビーム９ａが前方に向けて支持されている。
【００１２】
図３に示すようにコネクタ１とコネクタ２を初期位置で嵌合すると、コネクタ１内の接続端子とコネクタ２内の接続端子が初期的に接触すると共に、コネクタ２の被駆動ピン７がコネクタ１のカム溝６に若干進入する。
【００１３】
この状態で、回動レバー５を反時計回り方向に回動すると、回動レバー５のカム溝６の前壁がコネクタ２の被駆動ピン７を駆動し、てこ作用によりコネクタ２をコネクタ１側に引き寄せる。これにより、図４に示すようにコネクタ１とコネクタ２が最終位置に結合すると共に、コネクタ１内の接続端子とコネクタ２内の接続端子同士が最終的に接続する。
【００１４】
ここで、回動レバー５の錠止部５ｃを押し下げると、錠止用爪部５ｅの案内面がコネクタ２の錠止用ビーム９ａの内面にそれぞれ当接し、錠止用爪部５ｅの案内面が錠止用ビーム９ａの内面を摺動する。このとき、可撓部５ｄが内方に撓み、図５に示すように錠止用爪部５ｅが錠止用ビーム９ａを乗り越えると可撓部５ｄが復元し衝突音を発すると共に、図５に示すように錠止用爪部５ｅと錠止用ビーム９ａが錠止する。
【００１５】
一方、コネクタ１と結合を解除する際には、錠止状態にある左右の錠止用爪部５ｅを左右方向から手指で摘み、内方に移動させて錠止用ビーム９ａとの錠止状態を解除し、回動レバー５を時計回り方向に回動する。これにより、回動レバー５のカム溝６の後壁が被駆動ピン７を駆動し、コネクタ２をコネクタ１から押し出すことになる。
【００１６】
嵌合したコネクタ１、２を覆う保護カバー３は合成樹脂製の略紡錘形とされ、長手方向に２つ割り構造とされ、中央の大径部にコネクタ１、２を収容し、両側の中径部に電線４、この電線４を被覆する絶縁層１０を収容し、小径部においてスペーサ１１により絶縁層１０を固定するようにされている。保護カバー３の合わせ目は喰い違いが生じないようにされ、両端においてナットによりかしめたり、ベルト１２等を巻回して固定し、図６に示すようにコネクタ１、２は保護カバー３により覆われる。
【００１７】
この場合の保護カバー３の大径部の内面の形状は、図１に示すように回動レバー５による錠止が行われた状態のコネクタ１、２を収容できるようにされ、コネクタ１、２をほぼ包み込むような形状とされている。保護カバー３の内外面には、円周方向に複数の補強用リブ３ａが設けられ、特に内面のリブ３ａはコネクタ１、２の位置決め用として用いられる。
【００１８】
しかし、コネクタ１、２同士が嵌合していても、図４に示すように回動レバー５が錠止されていない状態では、回動レバー５の錠止部５ｃが保護カバー３の内面の一部に当接し、図７に示すようにコネクタ１、２は保護カバー３内の所定位置に納まらず、保護カバー３を被着することはできないようにされている。
【００１９】
従って、図６に示すように保護カバー３に覆われたコネクタ１、２については、内部を確認しなくとも、コネクタ１、２同士の間の錠止が確実になされていることが保証される。
【００２０】
なお、保護カバー３は実施例の形状に限らず、例えば箱型であってもよく、或いは錠止部材は回動レバー５には限らず、他の形態の錠止部材を使用することも可能である。
【図面の簡単な説明】
【００２１】
【図１】コネクタを保護カバー内に収容した状態の構成図である。
【図２】嵌合前のコネクタの斜視図である。
【図３】嵌合したコネクタの斜視図である。
【図４】回動レバーによる錠止をする前の状態の側面図である。
【図５】回動レバーによる錠止を行った状態の側面図である。
【図６】嵌合したコネクタに保護カバーを被着した状態の斜視図である。
【図７】錠止が不十分でコネクタを保護カバー内に収容できない状態の断面図である。
【符号の説明】
【００２２】
１、２  コネクタ
３  保護カバー
４  電線
５  回動レバー
５ｃ  錠止部
７  被駆動ピン
９  錠止受部
１０  絶縁層
【図１】
2007018896.tif 000003
【図２】
2007018896.tif 000004
【図３】
2007018896.tif 000005
【図４】
2007018896.tif 000006
【図５】
2007018896.tif 000007
【図６】
2007018896.tif 000008
【図７】
2007018896.tif 000009